【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
ビデオデータを復号するための方法であって、
シンタックス要素の値を決定することと、前記シンタックス要素の前記値は、サブピクチャレベルコード化ピクチャバッファ（ＣＰＢ）除去遅延パラメータがピクチャタイミングサプルメンタルエンハンスメント情報（ＳＥＩ）メッセージ中に存在するかしないかをシグナリングする、
変数の値にかかわらず、アクセスユニット（ＡＵ）レベルで、ＡＵについてのＣＰＢ到着時間および前記ＡＵについての名目除去時間を導出することと、ここにおいて、ＣＰＢは、前記変数の前記値が０であるときに前記ＡＵレベルで動作し、前記ＣＰＢは、前記変数の前記値が１であるときにサブピクチャレベルで動作する、
前記シンタックス要素が、前記サブピクチャレベルＣＰＢ除去遅延パラメータが前記ピクチャタイミングＳＥＩメッセージ中に存在するかどうかを示すことに基づいて、復号ユニット（ＤＵ）の名目除去時間を設定することと、ここにおいて、前記シンタックス要素が、前記サブピクチャレベルＣＰＢ除去遅延パラメータが前記ピクチャタイミングＳＥＩメッセージ中に存在しないと示すことに基づいて、前記ＤＵの前記名目除去時間は、前記ＡＵに関する除去時間から、１個のサブピクチャクロックティックとＣＰＢ除去遅延との積を引いたものに等しく設定され、前記シンタックス要素が、前記サブピクチャレベルＣＰＢ除去遅延パラメータが前記ピクチャタイミングＳＥＩメッセージ中に存在すると示すことに基づいて、前記ＤＵの前記名目除去時間は、次のＤＵの名目除去時間から、前記サブピクチャクロックティックと前記ＣＰＢ除去遅延との積を引いたものに等しく設定される、
前記変数が１に等しいこと、およびｌｏｗ＿ｄｅｌａｙ＿ｈｒｄ＿ｆｌａｇが０に等しい、または前記ＤＵの前記名目除去時間が前記ＤＵの最終ＣＰＢ到着時間以上であることのいずれかに基づいて、前記ＤＵのＣＰＢ除去時間を前記ＤＵの前記名目除去時間に設定することと、
前記ＤＵの前記ＣＰＢ除去時間において、前記ＤＵを復号することと
を備える方法。
【請求項２】
ビデオデータを復号するためのデバイスであって、
コード化ピクチャバッファ（ＣＰＢ）と、
シンタックス要素の値を決定することと、前記シンタックス要素の前記値は、サブピクチャレベルＣＰＢ除去遅延パラメータがピクチャタイミングサプルメンタルエンハンスメント情報（ＳＥＩ）メッセージ中に存在するかしないかをシグナリングする、
変数の値にかかわらず、アクセスユニット（ＡＵ）レベルで、ＡＵについてのＣＰＢ到着時間および前記ＡＵについての名目除去時間を導出することと、ここにおいて、ＣＰＢは、前記変数の前記値が０であるときに前記ＡＵレベルで動作し、前記ＣＰＢは、前記変数の前記値が１であるときにサブピクチャレベルで動作する、
前記シンタックス要素が、前記サブピクチャレベルＣＰＢ除去遅延パラメータが前記ピクチャタイミングＳＥＩメッセージ中に存在するかどうかを示すことに基づいて、復号ユニット（ＤＵ）の名目除去時間を設定することと、ここにおいて、前記シンタックス要素が、前記サブピクチャレベルＣＰＢ除去遅延パラメータが前記ピクチャタイミングＳＥＩメッセージ中に存在しないと示すことに基づいて、前記ＤＵの前記名目除去時間は、前記ＡＵに関する前記名目除去時間から、１個のサブピクチャクロックティックとＣＰＢ除去遅延との積を引いたものに等しく設定され、前記シンタックス要素が、前記サブピクチャレベルＣＰＢ除去遅延パラメータが前記ピクチャタイミングＳＥＩメッセージ中に存在すると示すことに基づいて、前記ＤＵの前記名目除去時間は、次のＤＵの名目除去時間から、前記サブピクチャクロックティックと前記ＣＰＢ除去遅延との積を引いたものに等しく設定される、
前記変数が１に等しいこと、およびｌｏｗ＿ｄｅｌａｙ＿ｈｒｄ＿ｆｌａｇが０に等しい、または前記ＤＵの前記名目除去時間が前記ＤＵの最終ＣＰＢ到着時間以上であることのいずれかに基づいて、前記ＤＵのＣＰＢ除去時間を前記ＤＵの前記名目除去時間に設定することと、
前記ＤＵの前記ＣＰＢ除去時間において、前記ＤＵを復号することと
を行うように構成されたビデオデコーダと、
を備えるデバイス。
【請求項３】
命令を記憶した非一時的なコンピュータ可読記憶媒体であって、前記命令は、実行されると、ビデオデータを復号するためのデバイスのプロセッサに、
シンタックス要素の値を決定することと、前記シンタックス要素の前記値は、サブピクチャレベルコード化ピクチャバッファ（ＣＰＢ）除去遅延パラメータがピクチャタイミングサプルメンタルエンハンスメント情報（ＳＥＩ）メッセージ中に存在するかしないかをシグナリングする、
変数の値にかかわらず、アクセスユニット（ＡＵ）レベルで、ＡＵについてのＣＰＢ到着時間および前記ＡＵについての名目除去時間を導出することと、ここにおいて、ＣＰＢは、前記変数の前記値が０であるときに前記ＡＵレベルで動作し、前記ＣＰＢは、前記変数の前記値が１であるときにサブピクチャレベルで動作する、
前記シンタックス要素が、前記サブピクチャレベルＣＰＢ除去遅延パラメータが前記ピクチャタイミングＳＥＩメッセージ中に存在するかどうかを示すことに基づいて、復号ユニット（ＤＵ）の名目除去時間を設定することと、ここにおいて、前記シンタックス要素が、前記サブピクチャレベルＣＰＢ除去遅延パラメータが前記ピクチャタイミングＳＥＩメッセージ中に存在しないと示すことに基づいて、前記ＤＵの前記名目除去時間は、前記ＡＵに関する名目除去時間から、１個のサブピクチャクロックティックとＣＰＢ除去遅延との積を引いたものに等しく設定され、前記シンタックス要素が、前記サブピクチャレベルＣＰＢ除去遅延パラメータが前記ピクチャタイミングＳＥＩメッセージ中に存在すると示すことに基づいて、前記ＤＵの前記名目除去時間は、次のＤＵの名目除去時間から、前記サブピクチャクロックティックと前記ＣＰＢ除去遅延との積を引いたものに等しく設定される、
前記変数が１に等しいこと、およびｌｏｗ＿ｄｅｌａｙ＿ｈｒｄ＿ｆｌａｇが０に等しい、または前記ＤＵの前記名目除去時間が前記ＤＵの最終ＣＰＢ到着時間以上であることのいずれかに基づいて、前記ＤＵのＣＰＢ除去時間を前記ＤＵの前記名目除去時間に設定することと、
前記ＤＵの前記ＣＰＢ除去時間において、前記ＤＵを復号することと
を行わせる非一時的なコンピュータ可読記憶媒体。
【請求項４】
ビデオデータを復号するためのデバイスであって、
シンタックス要素の値を決定するための手段と、前記シンタックス要素の前記値は、サブピクチャレベルコード化ピクチャバッファ（ＣＰＢ）除去遅延パラメータがピクチャタイミングサプルメンタルエンハンスメント情報（ＳＥＩ）メッセージ中に存在するかしないかをシグナリングする、
変数の値にかかわらず、アクセスユニット（ＡＵ）レベルで、ＡＵについてのＣＰＢ到着時間および前記ＡＵについての名目除去時間を導出するための手段と、ここにおいて、ＣＰＢは、前記変数の前記値が０であるときに前記ＡＵレベルで動作し、前記ＣＰＢは、前記変数の前記値が１であるときにサブピクチャレベルで動作する、
前記シンタックス要素が、前記サブピクチャレベルＣＰＢ除去遅延パラメータが前記ピクチャタイミングＳＥＩメッセージ中に存在するかどうかを示すことに基づいて、復号ユニット（ＤＵ）の名目除去時間を設定するための手段と、ここにおいて、前記シンタックス要素が、前記サブピクチャレベルＣＰＢ除去遅延パラメータが前記ピクチャタイミングＳＥＩメッセージ中に存在しないと示すことに基づいて、前記ＤＵの前記名目除去時間は、前記ＡＵに関する前記名目除去時間から、前記１個のサブピクチャクロックティックと、ＣＰＢ除去遅延との積を引いたものに等しく設定され、前記シンタックス要素が、前記サブピクチャレベルＣＰＢ除去遅延パラメータが前記ピクチャタイミングＳＥＩメッセージ中に存在すると示すことに基づいて、前記ＤＵの前記名目除去時間は、次のＤＵの名目除去時間から、前記サブピクチャクロックティックと前記ＣＰＢ除去遅延との積を引いたものに等しく設定される、
前記変数が１に等しいこと、およびｌｏｗ＿ｄｅｌａｙ＿ｈｒｄ＿ｆｌａｇが０に等しい、または前記ＤＵの前記ＣＰＢ名目除去時間が前記ＤＵの最終ＣＰＢ到着時間以上であることのいずれかに基づいて、前記ＤＵのＣＰＢ除去時間を前記ＤＵの前記名目除去時間に設定するための手段と、
前記ＤＵについての前記ＣＰＢ除去時間において前記ＤＵを復号するための手段と
を備えるデバイス。
【請求項５】
前記シンタックス要素は第１のシンタックス要素であり、前記方法は、
前記第１のシンタックス要素が、前記サブピクチャレベルＣＰＢ除去遅延パラメータが前記ピクチャタイミングＳＥＩメッセージ中に存在しないと示すことに基づいて、前記ＣＰＢ除去遅延が第２のシンタックス要素に設定されることを決定することをさらに備え、前記第２のシンタックス要素は、サブピクチャタイミングＳＥＩメッセージ中にあり、前記第２のシンタックス要素は、前記サブピクチャタイミングＳＥＩメッセージを含む現在のＡＵ中の、復号順序で最後のＤＵと、前記サブピクチャタイミングＳＥＩメッセージに関連付けられたＤＵとの、前記ＣＰＢからの除去の間の、サブピクチャクロックティックの単位での持続時間を指定する、請求項１に記載の方法。
【請求項６】
前記シンタックス要素は第１のシンタックス要素であり、前記ビデオデコーダは、
前記第１のシンタックス要素が、前記サブピクチャレベルＣＰＢ除去遅延パラメータが前記ピクチャタイミングＳＥＩメッセージ中に存在しないと示すことに基づいて、前記ＣＰＢ除去遅延が第２のシンタックス要素に設定されることを決定するように構成され、前記第２のシンタックス要素は、サブピクチャタイミングＳＥＩメッセージ中にあり、前記第２のシンタックス要素は、前記サブピクチャタイミングＳＥＩメッセージを含む現在のＡＵ中の、復号順序で最後のＤＵと、前記サブピクチャタイミングＳＥＩメッセージに関連付けられたＤＵとの、前記ＣＰＢからの除去の間の、サブピクチャクロックティックの単位での持続時間を指定する、請求項２に記載のデバイス。
【請求項７】
前記シンタックス要素は第１のシンタックス要素であり、前記命令は、実行されると前記プロセッサに、
前記第１のシンタックス要素が、前記サブピクチャレベルＣＰＢ除去遅延パラメータが前記ピクチャタイミングＳＥＩメッセージ中に存在しないと示すことに基づいて、前記ＣＰＢ除去遅延が第２のシンタックス要素に設定されることを決定させ、前記第２のシンタックス要素は、サブピクチャタイミングＳＥＩメッセージ中にあり、前記第２のシンタックス要素は、前記サブピクチャタイミングＳＥＩメッセージを含む現在のＡＵ中の、復号順序で最後のＤＵと、前記サブピクチャタイミングＳＥＩメッセージに関連付けられたＤＵとの、前記ＣＰＢからの除去の間の、サブピクチャクロックティックの単位での持続時間を指定する、請求項３に記載の非一時的なコンピュータ可読記憶媒体。
【請求項８】
前記シンタックス要素は第１のシンタックス要素であり、前記デバイスは、
前記第１のシンタックス要素が、前記サブピクチャレベルＣＰＢ除去遅延パラメータが前記ピクチャタイミングＳＥＩメッセージ中に存在しないと示すことに基づいて、前記ＣＰＢ除去遅延が第２のシンタックス要素に設定されることを決定するための手段をさらに備え、前記第２のシンタックス要素は、サブピクチャタイミングＳＥＩメッセージ中にあり、前記第２のシンタックス要素は、前記サブピクチャタイミングＳＥＩメッセージを含む現在のＡＵ中の、復号順序で最後のＤＵと、前記サブピクチャタイミングＳＥＩメッセージに関連付けられたＤＵとの、前記ＣＰＢからの除去の間の、サブピクチャクロックティックの単位での持続時間を指定する、請求項４に記載のデバイス。